(57)【要約】【課題】装着感が良く、ずれにくい上、身体の当該部位を３点固定して装具としての機能を良好に作用させうる実用性が高い関節用装具を提供する。【解決手段】装着者の関節の周囲に装着される装具本体１２と、装具本体１２の内面に取り付けられ、袋内部の空気圧を調整可能であり、装着部位において所定の方向に圧迫力を作用させるような１点と、該１点を挟むように離隔し該１点とは逆向きに圧迫力を作用させるような２点と、の３点を圧迫する３個の空気袋１４、１６、１８と、を備えた関節用装具１０から構成される。【選択図】図１
2015123273.tif 000002
【特許請求の範囲】
【請求項１】
装着者の関節の周囲に装着される装具本体と、
装具本体の内面に取り付けられ、袋内部の空気圧を調整可能であり、装着部位において所定の方向に圧迫力を作用させるような１点と、該１点を挟むように離隔し該１点とは逆向きに圧迫力を作用させるような２点と、の３点を圧迫する３個の空気袋と、を備えたことを特徴とする関節用装具。
【請求項２】
空気袋を装具本体の内面に位置変更自在に取り付ける位置変更手段が設けられたことを特徴とする請求項１記載の関節用装具。
【請求項３】
位置変更手段は、空気袋と装具本体とにそれぞれ設けられて互いに脱着自在に係合する面ファスナからなることを特徴とする請求項２記載の関節用装具。
【請求項４】
３個の空気袋が互いに袋内部を連通して接続され、いずれか１つの空気袋に空気出入口部が設けられたことを特徴とする請求項１ないし３のいずれかに記載の関節用装具。
【請求項５】
装具本体は、膝又は肘に装着されるものであり、
１つの空気袋は、膝頭又は肘頭に対応する位置に配置され、透孔が設けられていることを特徴とする請求項１ないし４のいずれかに記載の関節用装具。
【請求項６】
装具本体は、関節の周囲に巻き付け状に装着される可撓性の帯状体又はシート状体を含むことを特徴とする請求項１ないし５のいずれかに記載の関節用装具。
【発明の詳細な説明】
【技術分野】
【０００１】
本発明は、膝、肘、手首等の関節に装着して患部の保持や矯正、身体機能の補助等を行う関節用装具に関する。
【背景技術】
【０００２】
関節の変形や靭帯損傷等その他病気、怪我の患者や高齢者等に対して身体の一部を外部から支えて、関節の動きを制限したり保護したりしながら、変形の矯正、身体機能の補助、痛みの軽減等を図るために、装具やサポータが利用される。従来の装具では、患者の体格や症状に応じて製作され、装具を密着状に装着して矯正や補助等が行われる。しかしながら、患者が適切に装具を装着できない場合も多く、装具がずれやすかったり、確実な矯正力を作用させたりすることができず、装具機能を十分に発揮できない問題があった。また、装具を最初に製作する際の矯正力や補助力の微調整や病状の経過に応じて矯正力等を変更したい場合には、装具等を作り直したり煩雑な調整が必要である等の問題があった。
【０００３】
特許文献１には、膝の周囲にあてがったエアーバッグに空気を入れて膨張することにより膝の変形を矯正しようとする膝関節サポータが提案されている。特許文献１の膝関節サポータは、膝関節付近に巻き付けるように装着可能な帯状部材と、該帯状部材の片面に着脱自在に取り付けられるエアーバッグと、前記帯状部材と前記エアーバッグとの間に介在されるように、該エアーバッグに一体に設けられ、該エアーバッグの膨張力を受けても局部変形しない可撓性の抵抗板と、を備えたものであった。
【先行技術文献】
【特許文献】
【０００４】
【特許文献１】特開２００８−１６１３３０号公報
【発明の概要】
【発明が解決しようとする課題】
【０００５】
通常、装具では、変形した関節の矯正等を行うためには、関節に対応した１点位置と、その位置を挟む上下位置でかつ反対側の離隔した２点位置、との３点を保持すること（いわゆる３点固定（３点支持））が重要である。しかしながら、特許文献１の膝関節サポータでは、膝関節に巻き付ける帯状部材の略全面にエアーバッグが取り付けられる構造であるので、内反膝、外反膝等変形方向が異なるような各症状に対応して、適切な方向に力を作用させて矯正や身体機能の補助等を行うことが困難であったり、矯正機能等が低いおそれがあったり、比較的軽度の患者の利用に限られてしまい実用性に劣る等の問題があった。
【０００６】
本発明は上記従来の課題に鑑みてなされたものであり、その一つの目的は、装着感が良く、ずれにくい上、身体の当該部位を３点固定して装具としての機能を良好に作用させうる実用性が高い関節用装具を提供することにある。
【課題を解決するための手段】
【０００７】
上記課題を解決するために本発明は、装着者の関節の周囲に装着される装具本体１２と、装具本体１２の内面に取り付けられ、袋内部の空気圧を調整可能であり、装着部位において所定の方向に圧迫力を作用させるような１点と、該１点を挟むように離隔し該１点とは逆向きに圧迫力を作用させるような２点と、の３点を圧迫する３個の空気袋１４、１６、１８と、を備えた関節用装具１０から構成される。
【０００８】
また、空気袋１４、１６、１８を装具本体１２の内面に位置変更自在に取り付ける位置変更手段３８が設けられたこととしてもよい。
【０００９】
また、位置変更手段３８は、空気袋１４、１６、１８と装具本体１２とにそれぞれ設けられて互いに脱着自在に係合する面ファスナ４０ａ、３６ｂからなることとしてもよい。
【００１０】
また、３個の空気袋１４、１６、１８が互いに袋内部を連通して接続され、いずれか１つの空気袋に空気出入口部２８が設けられたこととしてもよい。
【００１１】
また、装具本体１２は、膝ＮＥ又は肘に装着されるものであり、１つの空気袋１４は、膝頭又は肘頭に対応する位置に配置され、透孔４２が設けられていることとしてもよい。
【００１２】
また、装具本体１２は、関節の周囲に巻き付け状に装着される可撓性の帯状体又はシート状体を含むこととしてもよい。
【発明の効果】
【００１３】
本発明の関節用装具によれば、装着者の関節の周囲に装着される装具本体と、装具本体の内面に取り付けられ、袋内部の空気圧を調整可能であり、装着部位において所定の方向に圧迫力を作用させるような１点と、該１点を挟むように離隔し該１点とは逆向きに圧迫力を作用させるような２点と、の３点を圧迫する３個の空気袋と、を備えているから、３点固定の原理で身体の当該部位を確実に保持でき、変形の矯正や身体機能の補助、痛みの緩和等を図る装具としての機能を良好に発揮することができ、実用性が高い。また、装具を装着した状態でずれにくく、空気圧による圧迫であるので装着感がよい。さらに、例えば、空気圧を調整することで病状の経過に応じて圧迫力を簡単に変更することができる。
【００１４】
また、空気袋を装具本体の内面に位置変更自在に取り付ける位置変更手段が設けられた構成とすることにより、装着者の体格や種々の症状等に応じて３点固定する位置を適宜変更して良好に変形の矯正や身体機能の補助等を行うことができる。
【００１５】
また、位置変更手段は、空気袋と装具本体とにそれぞれ設けられて互いに脱着自在に係合する面ファスナからなる構成とすることにより、位置変更手段を簡単な構成で具体的に実現でき低コストで製造できるとともに、脱着位置変更操作も簡単かつ短時間に行える。
【００１６】
また、３個の空気袋が互いに袋内部を連通して接続され、いずれか１つの空気袋に空気出入口部が設けられた構成とすることにより、３個の空気袋の空気圧調整を簡単かつ短時間で行え、使い勝手がよい。
【００１７】
また、装具本体は、膝又は肘に装着されるものであり、１つの空気袋は、膝頭又は肘頭に対応する位置に配置され、透孔が設けられている構成とすることにより、例えば、空気袋を膝や肘等の関節にあてがって矯正する際に動きが妨げられにくかったり、違和感を生じにくく、良好に矯正することができる。
【００１８】
また、装具本体は、関節の周囲に巻き付け状に装着される可撓性の帯状体又はシート状体を含む構成とすることにより、製作しやすいとともに、装具を簡単に装着、離脱することができる。
【図面の簡単な説明】
【００１９】
【図１】本発明の第１の実施形態に係る関節用装具を展開して内部を見せた状態の斜視図である。
【図２】図１の関節用装具の装着する態様での斜視図である。
【図３】（ａ）図１の関節用装具の装着状態の正面図、（ｂ）同装着状態の側面図である。
【図４】図１の関節用装具の分解斜視図である。
【図５】図１の関節用装具を展開して外面側を見せた状態の説明図である。
【図６】（ａ）図１の関節用装具を展開して内部を見せた状態の説明図、（ｂ）空気袋の位置を変更した状態の説明図、（ｃ）空気袋の位置を変更した状態の他の説明図である。
【図７】図１の関節用装具の空気袋の取り付け位置を変更して種々の症状に適用した例の作用説明図である。
【図８】図１の関節用装具の空気袋の他の実施形態の説明図である。
【図９】図１の関節用装具の空気袋の他の実施形態の説明図である。
【図１０】他の実施形態の関節用装具の装着状態の側面図である。
【図１１】図１０の関節用装具の装具本体を展開して外面を示した説明図である。
【発明を実施するための形態】
【００２０】
以下添付図面を参照しつつ本発明の関節用装具の実施形態について説明する。本発明に係る関節用装具は、怪我や病気等の患者や高齢者の関節の周囲に装着されて、動きの制限や保護、変形の矯正、身体機能の補助、痛みの緩和等を図ることができる身体用装具装置である。図１ないし図６は、本発明の関節用装具の第１の実施形態を示している。図１、図２に示すように、本実施形態において、関節用装具１０は、装具本体１２と、３個の空気袋１４、１６、１８と、を備えている。本実施形態では、関節用装具１０は、例えば、膝の部分に装着される膝用装具の例で説明する。
【００２１】
装具本体１２は、装着者の関節の周囲に装着される基部部分であり、身体に当てられる３個の空気袋１４、１６、１８を保持するための取付手段ともいえる。図１、図２、図３に示すように、装具本体１２は、本実施形態では、例えば、可撓性の布地素材で形成され膝ＮＥの周囲に巻き付け状に装着されるシート状体２０と、シート状体２０を環状に膝に巻き付けた状態で両端部どうしを着脱自在に接続する接続部２２と、を含む。
【００２２】
シート状体２０は、例えば、膝とその上下の大腿部の下部側及び下退部の上部側を覆うような広さで設けられている。シート状体２０は、装着者の膝ＮＥの裏側からあてられて膝の周囲の形状に沿うように撓みながら巻き付けられ、膝の上下の前方側で重ね合わせられる両端部どうしを接続部２２を介して着脱自在に接続される。シート状体２０は、身体へ装着した状態では膝の曲げ伸ばしに対応して撓み変形するようになっている。シート状体２０の両端部には、内側に凹設された凹部２４が設けられており、装着してそれらの両端部を接続した状態で膝ＮＥの前面（膝頭）部分に対応する部分に透孔２６を形成する。シート状体２０の一方の端部であって端部どうしを重ね合わせて環状に接続した際に前面側となる端部は、凹部２４を挟んだそれぞれの端部片がさらに２分割されており、計４つの端部片構成となっている。なお、装具本体１２は、シート状体よりも幅の狭い帯状体で関節の周囲に装着する構成でもよい。また、装具本体１２は、可撓性の素材で形成した軟性装具の態様に限らず、症状等に応じてプラスチック等の硬質素材で形成された硬性装具で構成してもよい。
【００２３】
図１、図５に示すように、接続部２２は、例えば、シート状体２０の端部にそれぞれ取り付けられ、互いに着脱自在に係合する面ファスナ２３ａ、２３ｂからなる。シート状体２０の一方の端部の内面側に面ファスナ２３ａが設けられ、他方の端部の外面側に面ファスナ２３ｂが設けられており、シート状体２０を環状にして端部を重ね合わせた状態で互いに係着される。接続部２２を面ファスナで構成しているので、着脱が簡単に行なえ、体格等に応じてある程度巻き付け力を調整できる。なお、装具本体１２は、シート状体や帯状体の端部を脱着自在に接続させる構成に限らず、伸縮性のある素材で環状に形成し筋肉等を圧迫しながら装着する構成でもよい。
【００２４】
さらに、図２、図３、図５に示す用に、装具本体１２には、シート状体２０を膝ＮＥの周囲に巻き付けた状態で、膝の内外側方に沿って配置される支柱部材３０が取り付けられている。支柱部材３０は、膝の曲げ伸ばしに対応して曲げ伸ばしできるように上下に２分割されて回動部３２で回動自在に連結されている。支柱部材３０は、例えば、回動部３２が膝の横位置に対応した状態でシート状体２０の外面側に沿って縦長に配置され、該支柱部材３０の外側から覆うカバーをシート状体２０に縫製等により固定して、シート状体に取り付けられている。なお、装具本体１２は、支柱部材３０を設けず、シート状体や帯状体のみで構成してもよい。
【００２５】
図１、図４、図６に示すように、空気袋１４、１６、１８は、装具本体１２の内面に取り付けられ、袋内部に空気を気密状に保持するエアーバッグであり、空気圧を利用して身体の部位を３点固定（３点支持）する圧迫支持手段である。空気袋１４、１６、１８は、装着部位において所定の方向に圧迫力を作用させるような１点と、該１点を挟むように離隔し該１点とは逆向きに圧迫力を作用させるような２点と、の３点を圧迫することにより、身体の当該部位の３点固定を構成している。例えば、図３の例では、内反膝（Ｏ脚）を矯正するのに利用した態様であり、第１空気袋１４は、膝ＮＥに外側から内側に向けて矯正力を作用させるように膝ＮＥの外側の側方に配置される。そして、第２、第３空気袋１６、１８は、膝ＮＥを挟んで上下に離隔するとともに脚の内側から外側に向けて矯正力を作用させるように大腿部と下腿部の内側にそれぞれ配置される。
【００２６】
本実施形態では、空気袋１４、１６、１８は、例えば、外形形状が略楕円状又は略隅丸四角形で偏平状に形成されており、一方の面がシート状体２０に取り付けられ、他方の面が装着者の身体にあてがわれる。３個の空気袋１４、１６、１８は、連通部２８を介して互いに袋内部を連通するように接続されている。３個の空気袋１４、１６、１８は、装具本体１２を展開した状態では、三角形の略頂点位置に配置され、２つの連通部２８により第１空気袋１４が第２、第３空気袋１６、１８とそれぞれ接続されており、略Ｖ字状に空気袋ユニット３４を形成している。連通部２８は、例えば、可撓性素材で形成されており、シート状体２０を身体に装着する際に該シート状体２０の撓みに伴って撓むようになっている。また、連通部２８に接続された３個の空気袋１４、１６、１８の相対的な位置をある程度変更できるようになっている。空気袋１４、１６、１８は、袋内部に空気を入れたり、空気を抜いたりすることで空気圧を調整することができる。よって、装着した状態で空気圧を調整して装具のずれを防止したり、病状の経過等によって身体への圧迫力を変更できる。図１に示す用に、第２の空気袋１６に空気出入口部３６が設けられており、常時は弁で閉鎖され、図示しない手動ポンプ又は電動ポンプ等を介して空気を入れると、連通部２８を介して３個全ての空気袋１４、１６、１８を同時に調整することができる。なお、空気出入口部３６は、身体に接する面側に設けられた例で示しているが、装具を装着した状態でポンプ等に接続した際に身体に当たらないような位置に設けることとしてもよい。空気袋のシート状体との取り付け面側に空気出入口部３６を設け、シート状体２０の空気出入口部３６に対応する位置にポンプの先端を接続する孔を穿孔することとしてもよい。
【００２７】
さらに、図４、図６に示すように、３個の空気袋１４、１６、１８は、位置変更手段３８を介してシート状体２０の内面側に脱着自在に装着される。位置変更手段３８は、空気袋１４、１６、１８を装具本体１２のシート状体２０の内面に位置変更自在に取り付ける。位置変更手段３８は、例えば、各空気袋１４、１６、１８と、シート状体２０の内面と、にそれぞれ設けられて互いに脱着自在に係合する面ファスナ４０ａ、４０ｂからなる。各空気袋１４、１６、１８の一方の面に雄型面ファスナ４０ａが設けられるとともに、シート状体２０の接続部２２を除く内面全体に雌型面ファスナ４０ｂが設けられている。位置変更手段により、空気袋１４、１６、１８をシート状体２０の内面の任意の位置に脱着自在に取り付けることができる。例えば、図６には空気袋１４、１６、１８の位置変更の例を示しており、右脚の膝の周囲に装着する場合には、図６（ａ）は、第１空気袋１４が膝の外側の側方、第２、第３空気袋１６、１８が大腿部と下腿部の内側の側方に配置されて３点固定し、図６（ｂ）は、第１空気袋１４が膝の内側の側方、第２、第３空気袋１６、１８が大腿部と下腿部の外側の側方に配置されて３点固定し、図６（ｃ）は、第１空気袋１４が膝の裏側、第２、第３空気袋１６、１８が大腿部と下腿部の前面側に配置されて３点固定するような配置構成と自由に変更できる。３個の空気袋１４、１６、１８の位置を自由に変更させることができるので、図４及び図７（ａ）〜（ｅ）に示すように、内反膝（図４）、外反膝（図７（ａ））、反張膝（図７（ｂ））、膝折れ（図７（ｃ））、前十字靭帯損傷（図７（ｄ））、後十字靭帯損傷（図（ｅ））等、その他種々の症状に応じて３点固定する位置を変更して、身体の矯正や補助、保存治療等をすることが可能であり、１つの装具だけでバリエーションに富んだ利用が可能となる。
【００２８】
次に、本実施形態に係る関節用装具１０の作用について説明する。例えば、関節用装具１０を内反膝（Ｏ脚）の患者に利用する場合には、図１、図６（ａ）のように３個の空気袋１４、１６、１８を装具本体１２に取り付けて、図３に示すように、シート状体２０の端部の凹部２４が膝頭の位置にくるように膝ＮＥの周囲に巻き付け、接続部２２で両端を接続して装着する。装着状態では、第１空気袋１４が膝の外側の側方にあてがわれて配置され、第２、第３空気袋１６、１８は、第１空気袋１４とは反対側で該第１空気袋を挟むように膝の上下に離隔して大腿部と下腿部の内側の側方にあてがわれて配置される。必要に応じて、空気袋１４、１６、１８に図示しないポンプ等で空気を入れて圧迫力を調整する。これにより、３個の空気袋１４、１６、１８により３点固定（３点支持）の原理で変形した膝関節を適切に矯正することができる。同時に、空気袋による圧迫であるので装着感が良く、装着時にずれたりしにくく、適切な力での矯正や補助等、装具としての機能を良好に発揮することができる。また、病状の経過に応じて空気袋１４、１６、１８の空気圧を次第に弱めたりして調整することもできる。
【００２９】
さらに、本実施形態に係る関節用装具１０は、位置変更手段３８により装具本体１２に対して３個の空気袋１４、１６、１８の位置を自由に変更して取り付けることができ、例えば、図７（ａ）〜（ｅ）に示すように、種々の病状に対応して矯正や補助等を図るように適用できる。なお、図７（ａ）では、装着状態の正面図を示しており、図７（ｂ）〜（ｅ）では、装着状態の側面図を示している。具体的には、図７（ａ）に示すように、外反膝（Ｘ脚）を矯正する態様では、第１空気袋１４が膝ＮＥの内側の側方にあてがわれるような位置に設置され、第２、第３空気袋１６、１８は、第１空気袋１４とは反対側で該第１空気袋を挟むように膝ＮＥの上下に離隔して大腿部と下腿部の外側の側方にあてがわれるような位置に設置され、３点を圧迫支持する。図７（ｂ）に示すように、反張膝を矯正する態様では、第１空気袋１４が膝ＮＥの裏面側にあてがわれるような位置に設置され、第２、第３空気袋１６、１８は、第１空気袋１４とは反対側で該第１空気袋を挟むように膝ＮＥの上下に離隔して大腿部と下腿部の前面にあてがわれるような位置に設置され、３点を圧迫支持する。図７（ｃ）に示すように、膝折れを矯正する態様では、第１空気袋１４が膝頭にあてがわれるような位置に設置され、第２、第３空気袋１６、１８は、第１空気袋１４とは反対側で該第１空気袋を挟むように膝ＮＥの上下に離隔して大腿部と下腿部の裏面にあてがわれるような位置に設置され、３点を圧迫支持する。図７（ｄ）に示すように、前十字靭帯損傷を保護する態様では、第１空気袋１４が膝ＮＥのやや下方の前面にあてがわれるような位置に設置され、第２、第３空気袋１６、１８は、第１空気袋１４とは反対側で該第１空気袋を挟むように膝ＮＥの上下に離隔して大腿部と下腿部の裏面にあてがわれるような位置に設置され、３点を圧迫支持する。図７（ｅ）に示すように、後十字靭帯損傷を保護する態様では、第１空気袋１４が膝裏のやや下方にあてがわれるような位置に設置され、第２、第３空気袋１６、１８は、第１空気袋１４とは反対側で該第１空気袋を挟むように膝ＮＥの上下に離隔して大腿部と下腿部の前面にあてがわれるような位置に設置され、３点を圧迫支持する。なお、上記した例の他に、例えば、内側側副靭帯損傷、外側側副靭帯損傷等の靭帯損傷や変形性関節症等、その他の任意の症状にあわせて適宜空気袋の位置を変更して使用することができる。このように空気袋１４、１６、１８の設置位置を変更することで様々な症状等に応じた位置で３点固定を行うことで、確実な矯正や補助等の装具として広く実用できる。
【００３０】
なお、装具本体１２や空気袋１４、１６、１８の構成は、上記した構成に限らない。例えば、３個の空気袋１４、１６、１８は、上記のように連通部２８で接続されていなくてもよく、それぞれが独立した構成でもよい。また、３個の空気袋１４、１６、１８と連通部２８とを着脱自在に接続できる構成としてもよい。また、３個の空気袋１４、１６、１８は、装具本体１２に一体的に固定されていても良い。また、３点固定する空気袋１４、１６、１８の他に、補助的に保持するための他の空気袋を取り付けることとしてもよい。すなわち、空気袋は、３点固定のために３個を取り付けた構成でよいが、必要に応じて３個以上取り付けることとしてもよい。
【００３１】
また、空気袋１４、１６、１８の形状や大きさは任意でよく、身体にあてがわれる位置や症状等に応じて変更するようにしてもよい。例えば、図８に示すように、第１空気袋１４には、略円形状で中央に膝に対応する透孔４２が設けられている。例えば、図７（ｃ）のように、関節用装具１０が膝折れ矯正用として利用される場合に、第１空気袋１４が膝頭に対応する位置にあてがわれて配置される際に有利であり、膝頭を適切に圧迫させることができる。なお、関節用装具１０が肘の周囲に装着される態様の場合には、肘頭に対応する位置にあてがわれて配置される際に有利である。また、例えば、図９に示すように、３個の空気袋１４、１６、１８は四角形状に形成してもよい。この場合、例えば、図７（ｄ）（ｅ）のように、関節用装具１０が反張膝用や後十字靭帯損傷用として利用される場合などに好適である。
【００３２】
また、図１０、図１１に示すように、装具本体１２は、身体に装着した状態で外面から補助的に締め付けるベルト４４と、ベルト４４をシート状体２０に連係して締着する連結用リング４６や締着用金具４８等を有する構成としても良い。ベルト４４に連係される連結用リング４６や締着用金具４８は、例えば、金属製又はプラスチック製の角環や丸環、あるいは特許第４２３９０３５号のような締着用金具を利用しても良い。図１０、図１１では、連結用リング４６や締着用金具４８は、例えば、装具本体１２を膝の周囲に装着した際に脚の内外側方に沿って縦方向に所定間隔で複数個配列して取り付けられており、症状等に応じてベルト４４の締め付け位置や方向を任意に変更できる。装具本体１２を膝の周囲に装着した状態でさらに外面側からベルト４４で締め付けることで、空気袋の身体への密着度を増して矯正力を補助し、より強い圧迫力で矯正等を行うことができる。
【００３３】
なお、関節用装具１０は、上記した実施形態では、膝に適用するもので説明したが、膝用のものに限らず、例えば、肘や手首、足首等その他関節に装着して矯正や身体機能の補助等を行う構成でもよい。
【００３４】
以上説明した本発明の関節用装具は、上記した実施形態のみの構成に限定されるものではなく、特許請求の範囲に記載した本発明の本質を逸脱しない範囲において、任意の改変を行ってもよい。
【産業上の利用可能性】
【００３５】
本発明の関節用装具は、膝、肘、手首等の関節の変形の矯正や関節機能の補助、痛みの緩和、保存的治療等で医療やリハビリテーション等に好適に適用できる。
【符号の説明】
【００３６】
１０    関節用装具
１２    装具本体
１４、１６、１８    空気袋
２０    シート状部材
２８    連通部
３６    空気出入口
３８    位置変更手段
４０  ａ  雄型面ファスナ、ｂ  雌型面ファスナ
４２    透孔
【図１】
2015123273.tif 000003
【図２】
2015123273.tif 000004
【図３】
2015123273.tif 000005
【図４】
2015123273.tif 000006
【図５】
2015123273.tif 000007
【図６】
2015123273.tif 000008
【図７】
2015123273.tif 000009
【図８】
2015123273.tif 000010
【図９】
2015123273.tif 000011
【図１０】
2015123273.tif 000012
【図１１】
2015123273.tif 000013